(57)【要約】【課題】  支柱フレーム、支柱ジョイント、棚板を任意に組み合わせて、棚板を上下、縦横方向にエンドレスに連結できる組立ラックを提供する。【解決手段】支柱フレーム２、支柱ジョイント３、棚板１を組み合わせて成り、支柱ジョイント３は、２本の支柱フレーム２の端部を挿入して上、下に連結させる一対の鞘部３１と、棚板１を固定する取付部３２ａと、連結すべき他の支柱ジョイント３に形成した雌、雄係止連結するための一対の雄、雌係止部３１Ｂ、３１Ａとを設けた構造になっている。【選択図】  図１
2006020742.tif 000002
【特許請求の範囲】
【請求項１】
複数の棚板を、支柱ジョイントで結合した支柱フレームで多段支持した構造の組立式ラックにおいて、
上記支柱ジョイントは、２本の支柱フレームの端部を対向あるいは重合させた状態に挿入して上、下に連結する一対の鞘部と、棚板を固定する取付部と、連結すべき他の支柱ジョイントに形成された雌、雄係止部を係止連結するための一対の雄、雌係止部とを設けた構造としている、組立式ラック。
【請求項２】
請求項１において、
上記棚板は、２枚の固定板の間に１枚の可動板を収納可能に連結しており、１枚の可動板の２枚の固定板に対する露出度合いを変更することで、長さ寸法を調整可能にしている、組立式ラック。
【請求項３】
請求項１、２のいずれかにおいて、
上記支柱フレームの端部に、弾性支持部材を設けた振動緩和キャップを取付けできるようにしている、組立式ラック。
【請求項４】
請求項１〜３のいずれかにおいて、
上記支柱ジョイントは、上記鞘部の空所内面に、弾性部材を設けた構造にしている、組立式ラック。
【請求項５】
請求項１〜４のいずれかにおいて、
上記支柱フレームは、断面がＬ字形状に形成され、かつ、上記支柱ジョイントの鞘部は、Ｌ字形状の空所を有している、組立式ラック。
【発明の詳細な説明】
【技術分野】
【０００１】
本発明は、支柱ジョイントで結合した支柱フレームが多段支持された構造の組立ラックに関するものである。
【背景技術】
【０００２】
この種の従来技術として、例えば、下記の特許文献１に提案され、開示されたものがある。
このものは、図１０（ａ）（ｂ）、図１１、図１２に示すように、互いに直角をなす２つの当板１１６が一体的に連結され、当板１１６はその上側部と下側部において、各々がボルト２００の取付用穴１１８を備えるとともに支柱分割体１１３との当接面における２つの取付用穴１１８を通過する直線上に少なくとも２つの突起１２２を備えてなり、ボルト２２０を挿通させて、端部同士を突き合わせた２つの支柱分割体１１３への当接状態において、突起１２２の一方は２つの支柱分割体１１３における下側の支柱分割体１１３の長孔１１４の下端部と当接すべく、下側の取付用穴１１８の下方位置に設けられ、突起１２２の他は２つの支柱分割体１１３における上側の支柱分割体１１３の長孔１１４の上端部と当接すべく、上側の取付用穴１１８の上方位置に設けられているものである。
【０００３】
ところが、このようなものでは、棚板１１７やラックそれ自体が規格品として寸法が特定されているため、支柱の上下方向の高さは調整できるが、ラックの前後左右方向の長さは調整できず、そのため、設置スペースの幅寸法に応じて、ぴったりと設置することはできず、設置スペース幅が狭い場合には、それ自体が設置できず、また、設置スペース幅が広い場合には無駄な空隙を生じてしまうなどの問題があった。
また、支柱分割体１１３に長穴１１４を複数設け、突起１２２も対応して設けなくてはならないため、その構造が複雑になるという問題があった。
さらに、ラックを前後、左右に任意に連結することはできないため、ラックの寸法を、使用目的に応じて変化させて使用することも出来なかった。
【特許文献１】特開平９−２３９５３号公報
【発明の開示】
【発明が解決しようとする課題】
【０００４】
本発明は、上記従来の問題に鑑みてなされたものであって、支柱フレームの上下方向の高さを自由に調整できるだけでなく、前後左右方向の幅を自由に調整することができ、しかもラック自体を、左右、前後に任意に連結できる組立ラックを提供することを目的としている。
【課題を解決するための手段】
【０００５】
本発明は、上記課題を解決するために提案されたものであって、請求項１に記載の発明は、複数の棚板を、支柱ジョイントで結合した支柱フレームで多段支持した構造の組立式ラックにおいて、上記支柱ジョイントは、２本の支柱フレームの端部を対向あるいは内外に重合させた状態で挿入して上、下に連結する一対の鞘部と、棚板を固定する取付部と、連結すべき他の支柱ジョイントに形成された雌、雄係止部を係止連結するための一対の雄、雌係止部とを設けた構造としている。
【０００６】
このような構造では、二本の支柱フレームは、支持ジョイントの鞘部の上方及び下方から挿入し、支持ジョイントの鞘部内で、両支柱フレームの端部を対向させ、あるいは内外に重合させて連結されるので、二本の支柱フレームの端部が対向する離間距離を調整したり、内外に重合させる寸法を調整することで、連結される支柱フレームは、上下方向に伸縮調整できる。また、支柱フレームの端部同士を支持ジョイントで連結することによって、上下方向にエンドレスに連結出来る。
【０００７】
さらに、支持ジョイントの鞘部に形成された雄、雌係止部によって、支持ジョイント同士の連結が可能になり、組立ラックを前後左右に増設できる。
【０００８】
請求項２に記載の発明は、請求項１において、上記棚板は、２枚の固定板の間に１枚の可動板を収納可能に連結しており、１枚の可動板の２枚の固定板に対する露出度合いを変更することで、長さ寸法を調整可能にしている。
【０００９】
この場合、棚板は、それに載置する物の大きさに合わせて寸法が調整でき、また、実用性設置スペースに合わせて棚板の寸法を調整することで、組立ラックを設置スペースにきっちりと収めることもできる。
【００１０】
請求項３に記載の発明は、請求項１、２のいずれかにおいて、上記支柱フレームの端部に、弾性支持部材を設けた振動緩和キャップを取付けできるようにしている。
【００１１】
振動緩和キャップを、支柱フレームの下端部に取り付けると、設置面に加わる振動を吸収することができ、また、支柱フレームの上端部に取り付けて支柱フレームと天井面との間に介在させると、地震などの振動を受けた場合にも、振動を吸収し、転倒が防止できる。
【００１２】
請求項４に記載の発明は、請求項１〜３のいずれかにおいて、上記支柱ジョイントは、上記鞘部の空所内面に、弾性部材を設けた構造にしている。
【００１３】
例えば、二本の支柱フレームの端部を支持ジョイントの鞘部内で内外に重合あわせて連結する場合、内側の支柱フレームの両端部が外側の支柱フレームの両端部よりも突出し、鞘部内に隙間が形成され、がたつきが生じるが、このがたつきが、鞘部の空所内面に設けた弾性部材の弾発力によって防止される。
【００１４】
請求項５に記載の発明は、請求項１〜４のいずれかにおいて、上記支柱フレームは、断面がＬ字形状に形成され、かつ、上記支柱ジョイントの鞘部は、Ｌ字形状の空所を有している。
【発明の効果】
【００１５】
請求項１〜５に記載の発明によれば、支柱ジョイントは、鞘部に、連結すべき２本の支柱フレームを挿入し、ネジ止めするだけで上、下に連結でき、またネジ止めを緩めれば取り外すことができる。
この場合、鞘部内で連結している支柱フレーム端部が対向する離隔距離や、内外に重合させた寸法を調整すれば、連結した支柱フレームの長さを伸縮調整できる。
また、棚板取付部に棚板を固定でき、連結すべき同じ種類の他の支柱ジョイントの対応した雌、雄係止部に対応する雄、雌係止部のいずれかを嵌め合わせば、相互に係止させて連結できる。
以上により、支柱フレームは、支柱ジョイントを用いれば上下方向に伸縮可能にエンドレスに連結できるだけでなく、支柱ジョイント同士を連結することで、棚板を支持する支柱フレームを前後左右方向にエンドレスに連結し、ラックそのものを任意に連結することができる。
【００１６】
請求項２に記載の発明によれば、１枚の可動板を必要な寸法まで露出調整することで、棚板の寸法が可変できる。したがって、ラックの横方向の寸法を設置すべきスペースにあわせて調整できるので、組立ラックを見栄えよく、設置スペースに無駄な隙間を生じることがなく有効利用できる。
【００１７】
請求項３に記載の発明によれば、支柱フレームの上端部にキャップを被せ、固定することにより、ラックの上端、下端に隙間がある場合などに、支柱フレームの長さを調整してラックを安定に立設保持できる。振動を受ける車の荷台に載せた場合や、地震対策にも有効である。
【００１８】
請求項４に記載の発明によれば、支柱ジョイントの鞘部空所で、支柱フレームを重合させた状態で連結する際に、内方に重合させた支柱フレームのはみ出し部分は弾性部材を変形させて吸収するので、ガタツキが防止される。
【００１９】
請求項５に記載の発明によれば、支柱フレームが断面Ｌ字形状に形成され、支柱ジョイントの鞘部がＬ字形の空所を形成しているので、支柱フレームを支柱ジョイントの鞘部の空所に容易に嵌め入れることができ、しかも、Ｌ字形であるので、前後左右どの方向に対する外力に対して対応することができ強度的にも優れている。
【発明を実施するための最良の形態】
【００２０】
以下、本発明に係る組立ラックの実施の形態につき、図１〜図９を参照して説明する。
組立ラックＡは、図１及び図２に示すように、その両端部が支持ジョイント３によって上下に連結された前後左右に立設された複数の支柱フレーム２と、該支柱フレーム２を連結する支持ジョイント３と、該支持ジョイント３によって支持された棚板１と、支柱フレーム２の上端部に取り付けられた振動緩和キャップ４とから構成されている。
【００２１】
支柱フレーム２は、図１〜図３、及び図９に示すように、断面L字形状を呈している。支柱フレーム２は、任意の長さ寸法のものが採択される。支柱フレーム２は、その両端部を上下に突合せ、あるいは離隔距離を隔てて対向させたり、内外に重ね合わせた状態で連結される。
【００２２】
支持ジョイント３は、図２〜図４に示すように、平面視略Ａ字形状を呈している。
そして、平面視略Ｌ字形状を呈した一対の縦長の鞘部３１と、該両鞘部３１の端部の上端面及び下端面に架設された、固定ねじの挿通穴３５ａを有した水平方向の棚板固定片３５と、両鞘部３１の内側面（対向面）の略中央部に切り起こして形成された水平方向の棚板支持片３２ａと、両鞘部３１の内側面の上部及び下部に穿設された皿ねじ５の挿通穴３２ｂと、両鞘部３１の内側面の角部に形成された上下方向の逃げ穴３６と、一方の鞘部３１の外側面に切り起こして形成された断面Ｌ字形状の雄係止部３１Ａと、他方の鞘部の外側面に穿設された略矩形状の雌係止部３１Ｂとを具備している。この実施例では、棚板固定片３５と、棚板支持片３２ａとで棚板取付部を構成している。
なお、支持ジョイント３の逃げ穴３６は、支柱フレーム２の挿入、及び、棚板１の挿入が円滑にする。
また、図２の支持ジョイント３は、棚板支持片３２ａと、その上、下に棚板固定片３５、３５を設けて、棚板１のコーナ部を、棚板支持片３２ａと、棚板固定片３５，３５の上下、いずれかの間に挿入して、棚板１を保持するようにしているが、棚板支持片３２ａをなくして、棚板１のコーナ部を、上、下の棚板固定片３５，３５の間に挟み込んで固定できるようにしてもよい。
なお、棚板取付部としては、以上のような構造に限られず、棚板１を固定できるものであればよい。
【００２３】
図２の例では、支持ジョイント３の鞘部３１には、上下の支柱フレーム２の端部を突き合わせ、あるいは対向させて連結するため、一本の支柱フレーム２が挿通可能な開口面積を有する空所３４を有している。また、図３の例では、支持ジョイント３の鞘部３１には、上下の支柱フレーム２の端部を内外に重ね合せて連結するため、二本の支柱フレーム２が挿通可能な開口面積を有する空所３４が形成され、支持ジョイント３の鞘部３１の内面には、内側の支柱フレーム２の端部が突出するが、鞘部３１の内面に接着した弾性部材３４ａで隙間が生じることが防止され、がたつきなく強固に固定できる。
【００２４】
棚板１は、図１、図７、図８に示すように、二枚の固定板１１，１２と、該両固定板１１，１２の間に収納された可動板１０と、両固定板１１，１２の長手方向に沿って形成された複数のガイド凸条１１ａ，１２ａ（表面に凹所が形成され、裏面に凸条を形成している）と、両固定板１１，１２のガイド凸条１１ａ，１２ａに嵌込む可動板１０のガイド凹溝１０ａと、両固定板１１，１２の下面の両側に形成された支持片１１ｂ，１２ｂと、該支持片１１ｂ，１２ｂに形成されたガイド長穴１１ｃ、１２ｃと、これらのガイド長穴１１ｃ、１２ｃに挿通された止めねじ１３と、止めねじ１３の頭部に設けられた平座金１４とを有している。
また、固定板１１，１２のコーナ部には、上記した支持ジョイント３の棚板固定片３５ａに対応した段部１１ｄ，１２ｄを形成している。
そして、止めねじ１３を緩め、固定板１１，１２のガイド凸条１１ａ，１２ａが可動板１０のガイド凹溝１０ａに嵌り込ませた状態で可動板１０を移動させることによって、可動板１０の露出度合いが調整され、棚板１の幅寸法が可変する。
また、この例では、二枚の固定板１１，１２を突き合せた長さと、可動板１０の長さとが略同一寸法になるように設計されており、縮小された状態においては、可動板１０が二枚の固定版１１，１２に収納された状態になっている。
【００２５】
振動緩和キャップ４は、図１、図６、図９に示すように、平面視Ｌ字形状のキャップ本体４１と、該キャップ本体４１の下面に形成された支柱フレーム２の端部の挿入穴４１ａと、キャップ本体４１の上面に一体に設けられた円錐形状の吸着盤４２と、キャップ本体４１と吸着盤４２との間に設けられた弾性支持部材（スプリング）４３とを備えている。このような振動緩和キャップは、自由端である支柱フレーム２の上端部又は下端部の少なくともいずれか一方に取り付けられ、振動緩和キャップ４の吸着盤４２を設置床、或いは、天井壁面に吸着させて使用することによって、支柱フレーム２の下端部や上端部に加わる振れが抑制され、組立ラックＡの転倒を防止し、安定した状態で立設保持できる。
さらに、運搬時の振動や地震などの場合には、キャップ本体４１と吸着盤４２との間に設けられた弾性支持部材４３によって、外部からの力が吸収されることになり、組立ラックＡ自体の揺れを防止できる。
【００２６】
つぎに組立ラックＡの組み立て順序について説明する。まず、両固定板１１，１２に可動板１０が収納された状態の棚板１の四つの角部にそれぞれ支持ジョイント３を取り付ける。即ち、棚板１のコーナ部を、支持ジョイント３の棚板固定支持片３２ａに載せ、支持ジョイント３の両棚板固定片３５のねじ挿通穴３５ａに固定ねじ（図示せず）を挿通し、螺入させて棚板１を固定する。このような棚板１を、組立ラックに必要な数だけ予め用意しておく。
【００２７】
つぎに、二本の支柱フレーム２を、棚板１の一つの支持ジョイント３の鞘部３１に下方及び上方から挿入すると共に、両支柱フレーム２の端部を突き合わせる（図２参照）。続いて、皿ねじ５によって両支柱フレーム２の端部を固定する。これと同様に、棚板１の残りの支持ジョイント３の鞘部３１にも支柱フレーム２を挿入して固定し、順次、棚板１を支持ジョイント３に載せ、ラックを組み立てる。
【００２８】
最後に、振動緩和キャップ４を前後左右の支柱フレーム２の上端部に取り付けると、図１に示すような組立ラックＡが完成する。
【００２９】
そして、組立ラックＡを設置スペースに合わせる場合、又は、棚板１に大きなものを載置する場合には、図７及び図８に示すように、棚板１の止めねじ１３を緩めて、棚板１の両固定板１１，１２の間から可動板１０を引き出し、引き出した可動板１０を所望の位置で止めねじ１３によって固定し、横寸法の調整を行う。
【００３０】
一方、上下方向の調整においては、支持ジョイント３の鞘部３１の皿ねじ５を緩めて、両支柱フレーム２の端部を離間させて、所望の位置で皿ねじ５を締め付けて、両支柱フレーム２を固定する。
【００３１】
この際、振動緩和キャップ４の吸着盤４２を天井壁面に吸着させれば、組立ラックＡの各支柱フレーム２の振れが抑制されると共に、組立ラックＡの揺れが抑制される。つまり、組立ラックＡを立設保持できるようになり、地震にも対処できる。
【００３２】
さらに、組立ラックＡを増設する場合には、図５に示すように、棚板１の一側の長辺に位置する各支持ジョイント３にそれぞれ支柱フレーム２を挿入し、棚板１の他側の長辺に位置する一組の支持ジョイント３の雄係止部３１Ａを、完成された組立ラックＡの支持ジョイント３の雌係止部３１Ｂに係合させる。これだけで、組立ラックＡの増設が簡単に行える。
【００３３】
また、組立ラックＡを解体する場合には、最上段の支持ジョイント３の皿ねじ５を緩めて、支柱フレーム２を支持ジョイント３の鞘部３１から引き出して取り外す。その後、支持ジョイント３の棚板固定片３５の固定ねじを緩めて棚板１を取り外す。この作業を最下段のラックまで順次繰り返す。
【００３４】
なお、前記実施形態の場合、支持ジョイント３の鞘部３１における両支柱フレーム２の連結に際して、上下の支柱フレーム２の端部を突き合わせるようにしているが、図３に示すように、下方から挿入した支柱フレーム２の端部を外側に位置させた状態で、上方から挿入した支柱フレーム２の端部を内側に位置させて重合し連結するようにしてもよい。
【００３５】
また、前記実施形態の場合、支柱フレーム２を断面L字形状としたが、円筒体、角筒体などであってもよい。
【００３６】
さらに、前記実施形態の場合、棚板１を平面視略矩形状としたが、円形、楕円形、扇形、多角形などであってもよい。
【００３７】
加えて、前記実施形態の場合、支柱フレーム２、棚板１、支持ジョイント３の材質は限定していないが、金属製、木製、合成樹脂製のいずれであってもよい。
【００３８】
また、前記実施形態の場合、振動緩和キャップ４のキャップ本体４１と吸着盤４２との間に弾性部材４３を設けたが、弾性部材４３を省略し、吸着盤４２の弾性を利用できる構造にしてもよい。また、自在継手（球面軸受け）を設けて、支柱フレーム２の振れ、及び、組立ラックＡの揺れを抑制するようにしてもよい。
【図面の簡単な説明】
【００３９】
【図１】本発明の組立ラックの一例を示す斜視図である。
【図２】支持ジョイントの一例を示し、鞘部において、上下の支柱フレームの端部を上下に突き合わせて連結した状態を示す斜視図である。
【図３】支持ジョイントの断面構造を示し、鞘部において、上下の支柱フレームの端部を内、外に重合させて連結した状態を示す断面図である。
【図４】支柱ジョイントの外観図を示し、鞘部に形成した雄係止部及び雌係止部を示す斜視図である。
【図５】一方の組立ラックの支柱ジョイントの雄係止部と、他方の組立ラックの雌係止部とを係合させて、組立ラックを連結した状態を示す断面図である。
【図６】振動緩和キャップを示す斜視図である。
【図７】棚板の一例を示す裏面図である。
【図８】棚板の断面構造を示す図７ＶＩＩＩ−ＶＩＩＩ線断面図である。
【図９】組立ラックを前後に連結した状態を示す斜視図である。
【図１０】従来の組立ラックに使用されるジョイント部材を示し、（ａ）はその正面側から見た斜視図、（ｂ）はその裏面側から見た斜視図である。
【図１１】従来の組立ラックのジョイント部材で支柱分割体を上下方向に連結した状態を示す部分斜視図である。
【図１２】従来の組立ラックの構造を示す斜視図である。
【符号の説明】
【００４０】
Ａ      組立ラック
１      棚板
１０    可動板
１０ａ  ガイド凹溝
１１、１２    固定板
１１ａ、１２ａ  ガイド凸条
１３    止めネジ
２      支柱フレーム
３      支柱ジョイント
３１    鞘部
３１Ａ  雄係止部
３１Ｂ  雌係止部
３２ａ  棚板支持片
３４    空所
３４ａ  弾性部材
３５    棚板取付部
３５ａ  固定ネジ孔
４      振動緩和キャップ
【図１】
2006020742.tif 000003
【図２】
2006020742.tif 000004
【図３】
2006020742.tif 000005
【図４】
2006020742.tif 000006
【図５】
2006020742.tif 000007
【図６】
2006020742.tif 000008
【図７】
2006020742.tif 000009
【図８】
2006020742.tif 000010
【図９】
2006020742.tif 000011
【図１０】
2006020742.tif 000012
【図１１】
2006020742.tif 000013
【図１２】
2006020742.tif 000014